(57)【要約】【課題】作業計画の負担を軽減する。【解決手段】作業計画装置１０は、少なくとも作業対象の取り付けおよび取り外しを含む複数の作業工程と、作業工程の相対的な順番の条件である順番条件の入力を受け付ける工程受付部２１と、作業工程ごとに、作業対象の取付状況の条件である取付条件の入力を受け付ける条件受付部２２と、順番条件を満たし、かつ、取付状況が取付条件を満たすように、作業工程の順番を決定する順番決定部２３と、を備える。【選択図】図１
2020112949.tif 000002
【特許請求の範囲】
【請求項１】
少なくとも作業対象の取り付けおよび取り外しを含む複数の作業工程と、前記作業工程の相対的な順番の条件である順番条件の入力を受け付ける工程受付部と、
前記作業工程ごとに、前記作業対象の取付状況の条件である取付条件の入力を受け付ける条件受付部と、
前記順番条件を満たし、かつ、前記取付状況が前記取付条件を満たすように、前記作業工程の順番を決定する順番決定部と、
を備える作業計画装置。
【請求項２】
前記作業工程には、前記作業工程を行う際に必要となる準備を示す必要準備の種別が設定可能であり、
前記順番決定部は、同じ種別の前記必要準備が設定された複数の前記作業工程の間に設けられる前記作業工程の数を、前記必要準備が設定されていないときよりも少なくする請求項１に記載の作業計画装置。
【発明の詳細な説明】
【技術分野】
【０００１】
本発明は、作業計画装置に関する。
【背景技術】
【０００２】
製造工場などにおける作業計画の立案に関し、自動化のための技術が開発されている。例えば、特許文献１には、複数の計画案を自動的に立案し、納期遅れの発生率や装置稼働率などの評価項目から評価値を導出するシステムが開示されている。
【先行技術文献】
【特許文献】
【０００３】
【特許文献１】特開２００４−１３９４７２号公報
【発明の概要】
【発明が解決しようとする課題】
【０００４】
特許文献１に記載の技術では、どのロットを優先するか、どのラインに投入するかといった大雑把な計画の立案しかできない。例えば、複数の部品のうち、どの部品の取り付けを先に行うかといったように、細分化された作業工程を組み合わせて作業計画を立案、修正することができなかった。そのため、管理者は、手作業での作業計画の立案、修正を余儀なくされていた。
【０００５】
本発明は、このような課題に鑑み、作業計画の負担を軽減することが可能な作業計画装置を提供することを目的としている。
【課題を解決するための手段】
【０００６】
上記課題を解決するために、本発明の作業計画装置は、少なくとも作業対象の取り付けおよび取り外しを含む複数の作業工程と、作業工程の相対的な順番の条件である順番条件の入力を受け付ける工程受付部と、作業工程ごとに、作業対象の取付状況の条件である取付条件の入力を受け付ける条件受付部と、順番条件を満たし、かつ、取付状況が取付条件を満たすように、作業工程の順番を決定する順番決定部と、を備える。
【０００７】
作業工程には、作業工程を行う際に必要となる準備を示す必要準備の種別が設定可能であり、順番決定部は、同じ種別の必要準備が設定された複数の作業工程の間に設けられる作業工程の数を、必要準備が設定されていないときよりも少なくしてもよい。
【発明の効果】
【０００８】
本発明によれば、作業計画の負担を軽減することが可能となる。
【図面の簡単な説明】
【０００９】
【図１】作業計画装置の概略を示す機能ブロック図である。
【図２】作業対象の一例を示す図である。
【図３】順番条件の一例を示す図である。
【図４】作業計画の一例を示す図である。
【図５】作業計画の一例を示す図である。
【発明を実施するための形態】
【００１０】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１１】
図１は、作業計画装置１０の概略を示す機能ブロック図である。作業計画装置１０は、例えば、パーソナルコンピュータ、ワークステーションなどのコンピュータで構成される。図１に示すように、作業計画装置１０は、記憶部１１と、操作部１２と、表示部１３と、制御部２０とを含んで構成される。
【００１２】
記憶部１１は、ＲＡＭ、フラッシュメモリ、ＨＤＤ等で構成される。操作部１２は、例えば、キーボードや表示部１３に重畳されるタッチパネルで構成される。操作部１２は、管理者の操作入力を受け付ける。表示部１３は、液晶ディスプレイ、有機ＥＬ(Electro Luminescence)ディスプレイ等で構成される。
【００１３】
制御部２０は、中央処理装置（ＣＰＵ）、プログラム等が格納されたＲＯＭ、ワークエリアとしてのＲＡＭ等を含む半導体集積回路により、作業計画装置１０全体を管理および制御する。また、制御部２０は、工程受付部２１、条件受付部２２、順番決定部２３としても機能する。
【００１４】
工程受付部２１は、操作部１２を介した操作入力（以下、単に操作入力という）により、複数の作業工程に関する情報を受け付ける。複数の作業工程には、少なくとも作業対象の取り付けおよび取り外しが含まれる。
【００１５】
図２は、作業対象の一例を示す図である。図２では、例えば、航空機の部品Ａ、Ｂ、Ｃを作業対象とする。作業工程として、例えば、部品Ａに対する部品Ｂ、Ｃの取り付けおよび取り外しが含まれる。図２からもわかるように、部品Ａ、Ｂ囲まれた空間内に部品Ｃが配される。そのため、部品Ａに部品Ｂを取り付けた状態では、部品Ｃを部品Ａに取り付けたり、部品Ａと部品Ｃを対象とする作業を実行したりすることができない。
【００１６】
また、工程受付部２１は、操作入力により順番条件の入力を受け付ける。順番条件について図３を用いて説明する。
【００１７】
図３は、順番条件の一例を示す図である。順番条件は、複数の作業工程を対象とした相対的な順番（相対順）の条件である。ここでは、図３に示すように、作業工程に相対順が設定される。
【００１８】
図３に示す作業工程は、部品Ａと部品Ｂを対象とする作業、および、部品Ａと部品Ｃを対象とする作業に共通である。すなわち、部品Ｂ、Ｃそれぞれについて、図３に示す７つの作業工程があり、合わせて１４個の作業工程となる。その他に、部品Ａを不図示の冶具にセット（固定、取り付け）する作業工程がある。本実施形態で例示する作業工程は、全部で１５個となる。
【００１９】
図４は、作業計画の一例を示す図である。図４に示すように、作業工程には、それぞれ、工程番号、工数、作業部位、取付状況、取付条件、必要準備が関連付けられる。ただし、必要準備については何も設定されていないものとする。必要準備については後に詳述する。
【００２０】
工程番号は、工程の実行順に付される正数である。作業工程は、作業工程の概略内容である。工数は、例えば、延べ工数（時間）である。作業部位は、対象とする部品である。
【００２１】
取付状況は、部品Ａ、Ｂ、Ｃの対象への取り付けの状況を示す情報である。例えば、部品Ａに「＋」と付されている場合、部品Ａの対象（ここでは冶具）への取り付けが行われることを示す。部品Ｂに「−」と付されている場合、部品Ｂの対象（ここでは部品Ａ）からの取り外しが行われることを示す。部品Ｃに「〇」と付されている場合、部品Ｃが対象（ここでは部品Ａ）に既に取り付けられていることを示す。
【００２２】
取付条件は、作業工程を実行する前提となる取付状況である。例えば、取付条件として、部品Ａに「〇」が付されている場合、部品Ａの対象への取り付けが事前になされていることが条件となる。取付条件として、部品Ｂに「×」が付されている場合、部品Ｂが対象に取り付けられていない（まだ取り付けていないか、取り付けた後に事前に取り外されている）ことが条件となる。
【００２３】
上記の取付状況のうち、「＋」「−」は、作業工程に設定される情報である。すなわち、作業工程によっては、部品Ａ、Ｂ、Ｃのいずれかを対象に取り付けるか、取り外すかの情報（以下、着脱情報という）が設定される。工程受付部２１は、操作入力により、着脱情報の入力を受け付ける。
【００２４】
一方、上記の取付状況のうち、「〇」は、直前までの作業工程の着脱情報から特定されるものである。後述の順番決定部２３によって特定される。
【００２５】
条件受付部２２は、操作入力により、作業工程ごとに上記の取付条件の入力を受け付ける。
【００２６】
例えば、図４に示す作業計画が立案されていなかったとする。このとき、工程受付部２１、条件受付部２２により、上記の各情報が入力されたとする。順番決定部２３は、図２に示す順番条件を満たす範囲で、作業工程の順番を任意に入れ替える。こうして、順番決定部２３は、仮の作業計画を複数立案する。
【００２７】
順番決定部２３は、１つの仮の作業計画のそれぞれの作業工程について、直前までの作業工程の着脱情報「＋」「−」から、取付状況の「〇」、すなわち、部品Ａ、Ｂ、Ｃが対象に取り付けられているか否かを特定する。
【００２８】
そして、順番決定部２３は、それぞれの作業工程について、取付状況が取付条件を満たすか否かを判定する。順番決定部２３は、取付状況が取付条件を満たさない作業工程があると、当該仮の作業計画を破棄する。順番決定部２３は、同様の処理を残りの仮の作業計画についても行う。順番決定部２３は、仮の作業計画のうち、順番条件を満たし、かつ、取付状況が取付条件を満たすものを作業計画として決定する。
【００２９】
例えば、順番条件により、工程番号２〜８は、間に他の作業工程が挟まれてもよいが、互いの相対順は変更できない。同様に、工程番号９〜１５は、間に他の作業工程が挟まれてもよいが、互いの相対順は変更できない。また、取付条件として、部品Ａ「〇」となっている工程番号２〜４、７〜１１、１３〜１５があることから、Ａを冶具へセットする作業工程は、必ず工程番号１となる。
【００３０】
順番条件を満たし、かつ、取付状況が取付条件を満たす作業計画が複数ある場合、順番決定部２３は、任意の１の作業計画を選択してもよいし、表示部１３に表示させて操作入力により１の作業計画を選択してもよい。こうして、順番決定部２３は、順番条件を満たし、かつ、取付状況が取付条件を満たすように、作業工程の順番を決定する。
【００３１】
ここで挙げた順番決定部２３の処理は一例である。順番条件を満たし、かつ、取付状況が取付条件を満たすように、作業工程の順番を決定できれば、順番決定部２３は、他のロジックに従った処理を行ってもよい。
【００３２】
また、作業計画に対して遅延が生じるなどの外乱要因があった場合、作業計画の修正が必要となる。この場合も、順番決定部２３は、未実施の作業工程について、上記の処理を行うことで、適切な作業工程の順番を決定することが可能となる。
【００３３】
上記のように、作業計画装置１０では、それぞれの作業工程について、順番条件、取付条件が設定され、これらを満たすように作業計画が立案される。そのため、管理者による手作業での作業計画の立案、修正が不要となり、作業計画の負担を軽減することが可能となる。
【００３４】
例えば、航空機の製造では、ライン作業と異なり、同一の部品Ａ、Ｂ、Ｃに対して行う作業工程の数が多く、その順番の組み合わせのパターンが多数となる。そのため、作業計画の負担が大きい。作業計画装置１０により、作業計画の負担を大幅に軽減することが可能となる。ただし、作業計画装置１０が対象とする作業計画の対象が航空機の製造に限らないのは言うまでもない。
【００３５】
図５は、作業計画の一例を示す図である。図５に示す作業計画では、工程番号６、１３の作業工程には、必要準備として種別「シール剤」が設定されている。
【００３６】
必要準備は、作業工程を実行する際に必要となる準備を示す情報である。工程番号６、１３の作業工程は、共に、シール剤を作業場に置いておくという準備が必要となる。必要準備としては、１つに限らず、複数の種別が設定されてもよい。このように、作業工程には、必要準備の種別が設定可能である。
【００３７】
条件受付部２２は、操作入力により、必要準備の種別の入力も受け付ける。順番決定部２３は、同じ種別の必要準備が設定された複数の作業工程の間に設けられる作業工程の数を、必要準備が設定されていないときよりも少なくする。その結果、図５に示す作業計画となったものとする。
【００３８】
図５では、工程番号９〜１２が、工程番号１と工程番号２の間に移動されている。工程番号１、９〜１２、２〜８、１３〜１５の順に作業が行われる。ここでは、理解を容易とするため、工程番号を再付番せずに図５に示す。ただし、工程番号は、図５中、上から順に再付番される。図５では、必要準備が設定されていない図４に比べて、Ａ−Ｃ合せ面シール、および、Ａ−Ｂ合せ面シールの作業工程の間の作業工程の数が少ない。
【００３９】
作業者は、Ａ−Ｃ合せ面シールの作業工程の後、シール剤を作業場に置いたままにしておく。その後、工程番号７、８の作業工程の後、Ａ−Ｂ合せ面シールの作業工程に際し、シール剤の準備作業が不要となる。こうして、シール材の準備、片付けの作業が１回ずつ、削減される。このように、必要準備の情報を用いることで、作業工数の削減が可能となる。
【００４０】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００４１】
また、コンピュータを作業計画装置１０として機能させるプログラムや、当該プログラムを記録した、コンピュータで読み取り可能なフレキシブルディスク、光磁気ディスク、ＲＯＭ、ＣＤ、ＤＶＤ、ＢＤ等の記憶媒体も提供される。ここで、プログラムは、任意の言語や記述方法にて記述されたデータ処理手段をいう。
【産業上の利用可能性】
【００４２】
本発明は、作業計画装置に利用することができる。
【符号の説明】
【００４３】
１０  作業計画装置
２１  工程受付部
２２  条件受付部
２３  順番決定部
【図１】
2020112949.tif 000003
【図２】
2020112949.tif 000004
【図３】
2020112949.tif 000005
【図４】
2020112949.tif 000006
【図５】
2020112949.tif 000007